【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
路面を構成するアスファルトと縁石を構成するコンクリートとの境界における隙間を覆って雑草の繁殖を抑制するシート状部材であって、
前記シート状部材が織布製法により得られたポリエステル織布からなり、該ポリエステル織布に劣化防止剤と共に防炎剤が塗布されて劣化防止防炎処理されていることを特徴とする雑草繁殖抑制用のシート状部材。
【請求項２】
前記シート状部材は、前記アスファルトに似せた色彩とされたアスファルト色部と、前記コンクリートに似せた色彩とされたコンクリート色部と、から成り、当該アスファルト色部をアスファルト側に、コンクリート色部をコンクリート側に位置決めしつつ前記隙間を覆うことを特徴とする請求項１記載の雑草繁殖抑制用のシート状部材。
【請求項３】
前記ポリエステル織布は、前記アスファルトに似せた色彩及びコンクリートに似せた色彩に先染された糸を織り上げて形成されたものから成ることを特徴とする請求項１または請求項２記載の雑草繁殖抑制用のシート状部材。
【請求項４】
前記シート状部材は、その裏面にシリコンシーラント又は水溶性接着剤が路面状態に応じて選択的に塗布され、前記隙間を覆って貼付可能とされたことを特徴とする請求項１〜請求項３の何れか１つに記載の雑草繁殖抑制用のシート状部材。
【請求項５】
前記シート状部材は、ポリエステル織布に、水溶性アクリル樹脂、水溶性ウレタン樹脂及び水が所定の割合で含浸されたものから成ることを特徴とする請求項１〜請求項４の何れか１つに記載の雑草繁殖抑制用のシート状部材。
【請求項６】
路面などを覆って雑草の繁殖を抑制するシート状部材であって、
前記シート状部材が織布製法により得られたポリエステル織布からなり、該ポリエステル織布に劣化防止剤と共に防炎剤が塗布されて劣化防止防炎処理されていることを特徴とする雑草繁殖抑制用のシート状部材。
【手続補正２】
【補正対象書類名】明細書
【補正対象項目名】全文
【補正方法】変更
【補正の内容】
【発明の詳細な説明】
【発明の名称】雑草繁殖抑制用のシート状部材
【技術分野】
【０００１】
本発明は、路面を構成するアスファルトと縁石を構成するコンクリートとの境界における隙間などを覆って雑草の繁殖を抑制するシート状部材に関するものである。
【背景技術】
【０００２】
歩道など路面を構成するアスファルトと、歩道と車道とを隔成する縁石を構成するコンクリートとの境界には隙間が生じていることが多く、その隙間から雑草などが生えることも多い。然るに、雑草の繁殖により、境界近傍のアスファルトが次第に浸食されてしまい景観を損ねてしまうことから、除草作業を頻繁に行うことが必要となるが、雑草の繁殖期などにおいては、除草作業が追いつかず、アスファルトの浸食が生じてしまうことが多い。
【０００３】
このように、アスファルトが雑草などにより浸食された場合は、従来、隙間に生えた雑草を取り除いた後、浸食された部位及びその周囲を重機や工具などではつり、その部位をアスファルトにて新たに舗装し直して再生させていた。尚、かかる先行技術は、文献公知発明に係るものでないため、記載すべき先行技術文献情報はない。
【発明の開示】
【発明が解決しようとする課題】
【０００４】
しかしながら、上記従来技術においては、路面をはつって舗装し直す必要があったため、多大な費用を必要としてしまうという問題があった。また、たとえ除草を頻繁に行ったとしても、歩道など路面を構成するアスファルトと、歩道と車道とを隔成する縁石を構成するコンクリートとの境界の隙間を放置しておけば、その隙間近傍のアスファルトが経時的に傷んでしまい、多大な費用をかけて再生のための工事を行う必要がある。
【０００５】
本発明は、このような事情に鑑みてなされたもので、歩道など路面を構成するアスファルトと、歩道と車道とを隔成する縁石を構成するコンクリートとの境界の隙間などからの雑草の繁殖を抑制するシート状部材を提供することにある。
【課題を解決するための手段】
【０００６】
請求項１記載の発明は、路面を構成するアスファルトと縁石を構成するコンクリートとの境界における隙間を覆って雑草の繁殖を抑制するシート状部材であって、前記シート状部材が織布製法により得られたポリエステル織布からなり、該ポリエステル織布に劣化防止剤と共に防炎剤が塗布されて劣化防止防炎処理されていることを特徴とする。
【０００７】
請求項２記載の発明は、請求項１記載の発明において、前記シート状部材は、前記アスファルトに似せた色彩とされたアスファルト色部と、前記コンクリートに似せた色彩とされたコンクリート色部と、から成り、当該アスファルト色部をアスファルト側に、コンクリート色部をコンクリート側に位置決めしつつ前記隙間を覆うことを特徴とする。
【０００８】
請求項３記載の発明は、請求項１または請求項２記載の発明において、前記ポリエステル織布は、前記アスファルトに似せた色彩及びコンクリートに似せた色彩に先染された糸を織り上げて形成されたものから成ることを特徴とする。
【０００９】
請求項４記載の発明は、請求項１〜請求項３記載の発明において、前記シート状部材は、その裏面にシリコンシーラント又は水溶性接着剤が路面状態に応じて選択的に塗布され、前記隙間を覆って貼付可能とされたことを特徴とする。
【００１０】
請求項５記載の発明は、請求項１〜請求項４記載の発明において、前記シート状部材は、ポリエステル織布に、水溶性アクリル樹脂、水溶性ウレタン樹脂及び水が所定の割合で含浸されたものから成ることを特徴とする。
【００１１】
請求項６記載の発明は、路面などを覆って雑草の繁殖を抑制するシート状部材であって、前記シート状部材が織布製法により得られたポリエステル織布からなり、該ポリエステル織布に劣化防止剤と共に防炎剤が塗布されて劣化防止防炎処理されていることを特徴とする。
【発明の効果】
【００１２】
請求項１の発明によれば、シート状部材は、織布製法により得られた織布から成り、織布の表面に劣化防止剤と共に防炎剤が塗布されて劣化防止防炎処理されているため、基布の平面密度が高く貼付時の接着強度を向上させることができ、補修後において不用意に剥がれてしまうのを抑制することができると共に、太陽光や雨など、環境による劣化を抑制することができるとともに、火の付いたたばこが捨てられたとしても延焼を抑制することができる。
【００１３】
請求項２の発明によれば、アスファルト色部をアスファルト側に、コンクリート色部をコンクリート側に位置決めしつつ隙間を覆って貼付可能とされることから、歩道など路面を構成するアスファルトと、歩道と車道とを隔成する縁石を構成するコンクリートとの境界の隙間を低コストで補修することができる。
【００１４】
請求項３の発明によれば、ポリエステル織布は、アスファルトに似せた色彩及びコンクリートに似せた色彩に先染された糸を織り上げて形成されたものから成るので、形成された後のポリエスル織布に対する着色工程を不要とすることができる。
【００１５】
請求項４の発明によれば、シート状部材は、その裏面にシリコンシーラント又は水溶性接着剤が路面状態に応じて選択的に塗布され、隙間近傍を覆って貼付可能とされたので、補修部に対する貼付をより確実に行わせ、確実な補修を行わせることができる。
【００１６】
請求項５の発明によれば、シート状部材は、織布に水溶性アクリル樹脂と水溶性ウレタン樹脂及び水が所定の割合で含浸されたものから成るので、各種色のシート状部材が容易に得られるとともに路面への接着性を高めることができる。
【００１７】
請求項６記載の発明によれば、ポリエステル織布の表面に劣化防止剤と共に防炎剤が塗布されて劣化防止防炎処理されたので、太陽光や雨など、環境による劣化を抑制することができるとともに、火の付いたたばこが捨てられたとしても延焼を抑制することができる。
【発明を実施するための最良の形態】
【００１８】
以下、本発明の実施形態について図面を参照しながら具体的に説明する。
本実施形態に係るシート状部材は、路面を構成するアスファルトと縁石を構成するコンクリートとの境界における隙間を覆って補修するためのもので、図１に示すように、アスファルトに似せた色彩（紫がかった紺色など）とされたアスファルト色部２と、コンクリート（白に近い灰色）に似せた色彩とされたコンクリート色部３とから成る。
【００１９】
かかるシート状部材１は、織布製法により得られた織布（糸を織り上げて形成された織布）から成るものであり、少なくともその表面がアスファルトに似せた色彩、及びコンクリートに似せた色彩に着色されたものである。かかる織布は、例えばアスファルトに似せた色彩及びコンクリートに似せた色彩に先染された糸を織り上げて形成されたものから成るものである。
【００２０】
このように、アスファルトに似せた色彩及びコンクリートに似せた色彩に先染された糸を織り上げて織布を形成すれば、形成された後の織布に対する着色工程を不要とすることができるが、例えば着色されない織布に対してエアガンなどにより着色塗料を吹き付け塗装してもよく、或いは着色されない織布を着色塗料に浸して当該着色塗料を含浸させる所謂ドブ付け工程にて得るようにしてもよい。
【００２１】
また、シート状部材１は、その表面に劣化防止剤及び防炎剤が塗布されて劣化防止防炎処理された織布から成るものである。劣化防炎処理を施したシート状部材によれば、太陽光や雨など、環境による劣化を抑制することができるとともに、火の付いたたばこが捨てられたとしても延焼を抑制することができ、耐久性及び耐火性の観点から極めて優れたものとされている。即ち、シート状部材１は、人や車両などが頻繁に行き交う路面上に貼付されるため、高い耐久性及び耐候性が求められるとともに、たばこの投げ捨てなどに対する延焼の高い抑制効果が求められており、本シート状部材１によれば、これら要求を確実に満たすことができるのである。
【００２２】
織布に塗布すべき劣化防止剤としては、例えばアイカ工業株式会社製の商品名「アイカアイボンＡＥ−１５０」（エチレン−酢ビ共重合エマルジョン系接着剤）を用いるのが好ましく、樹脂コーティングするのが更に好ましい。また、織布に塗布すべき防炎剤としては、大和化学工業株式会社製の商品名「フランＤＨ−５０００ＥＫ」、「フランＳ−４００」、或いは「フランＴＴＣ」（リン系の剤）を用いるのが好ましい。特に、「フランＤＨ−５０００ＥＫ」を用いる場合、重曹（炭酸水素ナトリウム）にてＰＨ７程度に中和し、水などで溶解させたものとするのが好ましい。尚、劣化防止剤と防炎剤とを一括して塗布して一工程にて劣化防止防炎処理を行ってもよく、或いは劣化防止剤の塗布工程と防炎剤の塗布工程とを別々に行ってもよい。
【００２３】
然るに、シート状部材１は、同図に示すように、長尺状に形成されつつロール状に巻かれており、これを必要量繰り出して路面の補修部に貼付することができるようになっている。以下、シート状部材１の貼付方法について、図２〜図４に基づいて説明する。尚、同図における符号Ａはアスファルトから成る歩道の路面、Ｂは縁石、Ｃは車道の路面を示している。
【００２４】
まず、図２に示す如く歩道における路面Ａを構成するアスファルトと縁石Ｂを構成するコンクリートとの境界における隙間Ａａに繁殖した雑草などを刈り取り除去する。図３に示す如く雑草などの除去後、路面Ａにおいて雑草の繁殖などにより隆起している場合は、転圧したり或いはサンダー掛けを行って平坦に成形しておく。尚、補修部のゴミなどの異物は完全に除去しておく。
【００２５】
一方、シート状部材１を補修部の寸法に応じて必要量繰り出しておき、その裏面（貼付面）に対し、乾燥後に透明となる水溶性接着剤を十分塗布しておく。また、補修部が荒れている場合（面粗度が粗い場合など）は、シート状部材１の裏面（貼付面）にシリコンシーラントを十分塗布しておく。即ち、補修部の路面状態に応じて、シリコンシーラント又は水溶性接着剤を選択的に塗布するのである。
【００２６】
次に、図４に示すように、アスファルト色部２を路面Ａのアスファルト側に、コンクリート色部を縁石Ｂのコンクリート側に位置決めし、シート状部材１にて隙間Ａａを覆いつつ補修部に貼付する。貼付後は、シート状部材１の上面から作業者が踏み付けて接着を確実に行わせるとともに、ローラなどにて全面を略均等に押さえて安定させる。以上により、シート状部材１の貼付作業が終了する。
【００２７】
上記の如く本実施形態によれば、アスファルト色部２をアスファルト側に、コンクリート色部３をコンクリート側に位置決めされつつ隙間Ａａを覆って貼付可能とされることから、大規模な再生工事などが不要とされ、歩道など路面Ａを構成するアスファルトと、歩道と車道とを隔成する縁石Ｂを構成するコンクリートとの境界の隙間Ａａを低コストで補修することができる。
【００２８】
また、シート状部材１は、織布製法により得られた織布から成るので、基布の平面密度が高く貼付時の接着強度を向上させることができ、補修後において不用意に剥がれてしまうのを抑制することができる。更に、本シート状部材１は、その裏面にシリコンシーラント又は水溶性接着剤が補修部の路面状態に応じて選択的に塗布され、隙間Ａａを覆って貼付可能とされたので、補修部に対する貼付をより確実に行わせ、確実な補修を行わせることができる。
【００２９】
また更に、アスファルト色部２とコンクリート色部３は、２色の糸を所定の幅に配置して織り上げているので、ラインが明瞭な縞模様とすることができるとともに、当該２色のラインが路面の景観をより引き締めることができ、景観をより向上させることができる。尚、本シート状部材１は、路面Ａを構成するアスファルトと縁石Ｂを構成するコンクリートとの境界における隙間を覆って補修するので、当該隙間をなくし、その後の雑草などの繁殖を抑制して景観を長期に亘って維持することができる。
【００３０】
以上、本実施形態について説明したが、本発明はこれに限定されず、例えば補修時に限らず、路面Ａ及び縁石Ｂの新設時から適用することができ、この場合、除草作業などが不要になるため更に低コストで設置することができる。また、アスファルト色部２のアスファルトに似せた色彩、及びコンクリート色部３のコンクリートに似せた色彩は、補修部に合わせて任意選択及び決定することができる。
【００３１】
シート状部材１は、例えばバージンポリエステル１００％、或いは再生品ポリエステル１００％のものを使用するのが好ましい。この場合、アスファルト色部２やコンクリート色部３の色彩に加え、それら質感にも似せることができ、補修部に貼付した状態で極めて自然な状態とすることができる。
【００３２】
更に、本実施形態においては、織布が、その表面に劣化防止剤とともに防炎剤が塗布されて劣化防止防炎処理されているが、劣化防止剤或いは防炎剤のみを塗布するようにしてもよい。例えば、劣化防止剤のみを塗布して劣化防止処理されたものと、劣化防止剤及び防炎剤の両者を塗布して劣化防止防炎処理されたものとを用意しておき、路面補修具が貼付される場所やコストなどを勘案して、選択的に貼付するようにしてもよい。尚、劣化防止剤又は防炎剤は、貼付前の路面補修具に予め塗布しておいてもよく、或いはシート状部材を路面に貼付した後に塗布するようにしてもよい。
【００３３】
ところで、上記実施形態おいて、シート状部材１を次のように構成することもできる。すなわち、シート部材１の織布として、前述したポリエステル織布を使用し、この織布に、水溶性アクリル樹脂と水溶性ウレタン樹脂及び水を含浸させる。この場合、水溶性アクリル樹脂としては、例えば関西ペイント株式会社製のフッソ、アクリル樹脂を用い、水溶性ウレタン樹脂としては、例えばアイカ工業株式会社製の商品名アイカアイボンＡＥ−１５０やアイカアイボン１１４などを用いるのが好ましい。また、水溶性アクリル樹脂と水溶性ウレタン樹脂と共に所定の顔料を含浸させることも可能である。
【００３４】
そして、これらの水溶性アクリル樹脂と水溶性ウレタン樹脂及び水を、図５に示す実施例１〜実施例３に示す割合で混合して含浸液を作成し、この含浸液内に織布を例えばトブ付けして含浸液を織布に含浸させることにより、シート状部材１を作製する。このシート状部材によれば、図５の実験結果欄に示すように、シート状部材１の引張力が大幅に向上するなど、シート状部材として良好（実施例１が最も良好）な結果が得られた。また、各種色の水溶性アクリル樹脂の使用でシート状部材１の色を路面Ａの色調に簡単に合わすことができたり、水溶性ウレタン樹脂の接着性により、路面Ａへの接着強度を一層高めることができたり、あるいはポリエステル織布の使用により、太陽の紫外線に対して強く長期に亘り安定使用可能なシート状部材が得られることも確認されている。
【産業上の利用可能性】
【００３５】
本発明は、路面の隙間などを覆うシート状部材であれば、外観形状が異なるもの或いは他の機能が付加されたものなどにも適用することができる。
【図面の簡単な説明】
【００３６】
【図１】本発明の実施形態に係るシート状部材を示す模式図
【図２】同シート状部材の補修部に対する貼付方法を示すべく、補修及び除草前の路面状態を示す模式図
【図３】同シート状部材の補修部に対する貼付方法を示すべく、補修前及び除草後の路面状態を示す模式図
【図４】同シート状部材の補修部に対する貼付方法を示すべく、補修後の路面状態を示す模式図
【図５】同シート状部材の変形例の実験結果を示す図
【符号の説明】
【００３７】
１    シート状部材
２    アスファルト色部
３    コンクリート色部
Ａ    路面（アスファルト）
Ａａ  隙間
Ｂ    縁石（コンクリート）
Ｃ    車道